(57)【要約】【課題】振動を用いることなくペットボトル群に混入した異物を除去することができる選別装置を提供する。【解決手段】選別装置１は、回収されたペットボトル５１に混入したカレット５３を取り除く選別装置１である。この装置１には、ベルトコンベア３の下流端３ａからペットボトル５１とカレット５３との混合物が導入される。そして、装置１は、導入された混合物が落下する位置において傾斜して設けられ、混合物中のペットボトル５１を傾斜に沿って下り方向に導くと共に、混合物中のカレット５３を下方に落下させるスクリーン５と、スクリーン５により導かれたペットボトル５１を排出するペットボトル排出口２ａと、スクリーン５から落下したカレット５３を排出するカレット排出口２ｂと、を備えている。【選択図】図１
2007319825.tif 000002
【特許請求の範囲】
【請求項１】
ペットボトル群に混入した異物を取り除く選別装置において、
前記ペットボトル群と前記異物との混合物が導入される導入部と、
前記導入部から導入された前記混合物をペットボトルと前記異物とに分離するスクリーンと、
前記スクリーンにより分離された前記ペットボトルを排出するペットボトル排出口と、
前記スクリーンにより分離された前記異物を排出する異物排出口と、を備え、
前記スクリーンは、
前記導入部から落下する前記混合物の落下位置において傾斜して設けられたことを特徴とする選別装置。
【請求項２】
前記スクリーンは、傾斜の下り方向に延びる複数の櫛歯を有する櫛型をなし、
前記櫛歯は、断面山型に形成されていることを特徴とする請求項１に記載の選別装置。
【請求項３】
前記スクリーンの下方において前記スクリーンとは反対に傾斜して設けられ、前記スクリーンの前記櫛歯の間から落下した前記異物を案内する案内板を更に備えたことを特徴とする請求項２に記載の選別装置。
【発明の詳細な説明】
【技術分野】
【０００１】
本発明は、回収されたペットボトルに混入した異物を取り除く選別装置に関するものである。
【背景技術】
【０００２】
リサイクル資源の収集体系で収集される使用済みのペットボトルは、使用済みの缶及びビンと混合された状態で回収される場合がある。この場合、ペットボトルは、リサイクル施設において、缶及びビンと選別された後、圧縮梱包処理される。この缶及びビンとの選別の際に、ガラスビンが割れてガラスの破片（「カレット」と呼ばれる）が発生するので、このカレットが分離されずにペットボトルに混入してしまうことがある。このように、ペットボトルにカレットが混入すると、回収純度の低下や圧縮梱包処理機でのトラブルの原因になるので、圧縮処理前に、ペットボトルに混入したカレットを更に取り除くための選別処理が必要である。
【０００３】
ここで、従来、固体同士を自動的に選別する装置として、下記特許文献１に記載の選別装置が知られている。この選別装置は、ガラスビンを選別するスクリーンを備えており、このスクリーンを振動させながらガラスビンを搬送し、サイズが小さいガラスビンを篩い落とすことで、ガラスビンをサイズ毎に選別している。
【特許文献１】特開平７−１２４５２２号公報
【発明の開示】
【発明が解決しようとする課題】
【０００４】
しかしながら、このような選別装置では、スクリーンを振動させるための振動装置が必要であるので、広い設置スペースが必要となる。また、選別対象物が搬送される搬送路が振動することになるので、設置形態が限定される場合が多く、リサイクル処理ライン上に設置し難かった。
【０００５】
そこで、本発明は、振動を用いることなく、ペットボトル群に混入した異物を除去することができる選別装置を提供することを目的とする。
【課題を解決するための手段】
【０００６】
本発明に係る選別装置は、ペットボトル群に混入した異物を取り除く選別装置において、ペットボトル群と異物との混合物が導入される導入部と、導入部から導入された混合物をペットボトルと異物とに分離するスクリーンと、スクリーンにより分離されたペットボトルを排出するペットボトル排出口と、スクリーンにより分離された異物を排出する異物排出口と、を備え、スクリーンは、導入部から落下する混合物の落下位置において傾斜して設けられたことを特徴とする。
【０００７】
この選別装置において、ペットボトル群と異物との混合物が導入部から導入されると、混合物は傾斜したスクリーン上に落下する。このとき、混合物中のペットボトルは、落下の勢いとスクリーンの傾斜とによって、このスクリーン上を自重で移動し傾斜の下り方向に導かれる。一方、ペットボトルよりもサイズが小さい異物は、スクリーンを抜けて更に下方に落下する。従って、振動を動力として用いずに、ペットボトルをペットボトル排出口に向けて移動させながら異物と分離させることができ、ペットボトル以外の異物の除去を行うことができる。
【０００８】
また、スクリーンは、傾斜の下り方向に延びる複数の櫛歯を有する櫛型をなし、櫛歯は、断面山型に形成されていると好適である。このような構成によれば、スクリーン上において、ペットボトルは、櫛歯の延在方向に沿って傾斜の下り方向に円滑に案内される一方で、ペットボトル以外の異物は、櫛歯の間のスリットを抜けて下方に落下する。このとき、スクリーンの櫛歯は、ペットボトル搬送の下流側先端において開放されていることから、ペットボトルの噛み込みが防止され、スクリーンの目詰まりが抑制される。また、この櫛歯は断面山型をなすので、櫛歯上に落下した異物も櫛歯から側方のスリットに落下する。このように、スクリーンの櫛歯が断面山型をなすことで、スクリーンは広い有効面積をもち、ペットボトル以外の異物は、ほぼ全部が円滑にスリットから落下する。
【０００９】
また、本発明に係る選別装置は、スクリーンの下方においてスクリーンとは反対に傾斜して設けられ、スクリーンの櫛歯の間から落下した異物を案内する案内板を更に備えることが好ましい。このような構成によれば、スクリーンの下り方向に案内されるペットボトルに対し、異物はその反対の案内板の下り方向に案内される。従って、ペットボトルと異物とをより良好に分離することができる。
【発明の効果】
【００１０】
本発明の選別装置によれば、振動を用いることなく、ペットボトル群に混入した、ペットボトル以外の異物を除去することができる。
【発明を実施するための最良の形態】
【００１１】
以下、図面を参照しつつ本発明に係る選別装置の好適な実施形態について詳細に説明する。
【００１２】
リサイクル施設においてリサイクル処理される使用済みのペットボトル群は、予め缶やガラスビンと分離された後、圧縮梱包機で圧縮梱包される。この場合、缶やガラスビンとの分離の際にガラスビンが割れたりすると、分離されたペットボトルにもガラスの破片（カレット）が混入してしまい、圧縮梱包機でのトラブルの原因となってしまう。そこで、リサイクル施設においては、図１及び図２に示すような選別装置１を用い、圧縮梱包処理の前に、使用済みのペットボトル５１に混入したカレット（異物）５３を除去する。
【００１３】
この選別装置１は、ペットボトル５１とカレット５３との混合物が搬送されるベルトコンベア３の下流側に固定された筐体２を備えている。ベルトコンベア３によって矢印Ａ方向に搬送されてきた混合物は、選別装置１に挿入されたベルトコンベア３の下流端３ａから前方に落下することで筐体２内に導入される。すなわち、ベルトコンベア３の下流端３ａは、混合物を選別装置１に導入する導入部を構成する。また、この筐体２の下側には、混合物から選別されたペットボトル５１を排出するペットボトル排出口２ａと、その後方に設けられ、混合物から選別されたカレット５３を排出するカレット排出口（異物排出口）２ｂとが形成されている。
【００１４】
この筐体２内において、ベルトコンベア３のヘッドプーリー３ｂ直近の前方下側には、ペットボトルとカレットとを、大きさで選別するためのカレットスクリーン５が筐体２に固定されている。ベルトコンベア３の下流端３ａまで搬送された混合物は、その下流端３ａからの落差によってスクリーン５上に落下する。また、スクリーン５は前方にいくほど低くなるように傾斜している。
【００１５】
このスクリーン５は、フラットバー５ａに複数の櫛歯５ｂが溶接されてなる櫛型をなしている。この櫛歯５ｂは、スクリーン５の傾斜に沿って前方に延び、先端が開放されたアングル材で構成されている。すなわち、この櫛歯５ｂは、図３に示すように、断面が上に凸の山型をなしており、幅約３０ｍｍのスリット５ｃを空けながら配列されている。
【００１６】
このようなスクリーン５上に混合物が落下すると、混合物中のペットボトル５１は、落下の勢いとスクリーン５の傾斜とにより、自重で、スクリーン５上を前方に向かい傾斜に沿って下り方向に移動する。このとき、ペットボトル５１の飲み口部は３０ｍｍよりも大きいことから、ペットボトル５１は、胴部が潰れた場合であっても、スリット５ｃを下に抜けることなくスクリーン５の前端まで到達する。そして、櫛歯５ｂの先端が開放されていることから、スクリーン５の前端におけるペットボトル５１の噛み込みも少なく、ペットボトル５１は円滑にスクリーン５前端から前方に円滑に落下する。また、潰れたペットボトル５１がスリット５ｃに噛み込んだ場合にも、後続のペットボトル５１に押し出され、開放された櫛歯５ｂの先端から外れ易いので、スクリーン５の目詰まりを抑制することができる。
【００１７】
そして、スクリーン５の前端から落下したペットボトル５１は、筐体２内の案内壁２ｃに案内されながらペットボトル排出口２ａから排出され、その後、圧縮梱包機（不図示）に送られる。
【００１８】
一方、スクリーン５上に落下した混合物中のカレット５３は、スリット５ｃよりも小さいため、スリット５ｃを抜けてスクリーン５の下方に落下する。また、このとき、カレット５３が櫛歯５ｂ上に落下したとしても、櫛歯５ｂの山型の上面を側方に滑り落ちるので、カレット５３は、円滑にスリット５ｃから落下する。このように、櫛歯５ｂが断面山型に形成されることで、スクリーン５は広い有効面積をもち、カレット５３のほぼ全部が、円滑にスリット５ｃから落下する。また、櫛歯５ｂが断面山型であることから、櫛歯５ｂの強度を確保することができる。
【００１９】
このスクリーン５の下方には、スクリーン５とは反対に後方にいくほど低くなるように傾斜する案内板９が設けられている。スリット５ｃから落下したカレット５３は、筐体２に取り付けられたこの案内板９により後方に案内され、カレット排出口２ｂから排出される。このような案内板９を設けることにより、カレット５３をペットボトル５１とは反対に案内することができるので、ペットボトル５１とカレット５３とをより良好に分離することができる。
【００２０】
以上のように、ベルトコンベア３の下流端３ａとスクリーン５との間には落差が設けられており、スクリーン５が傾斜していることから、混合物中のペットボトル５１は、落下の勢いとスクリーン５の傾斜とによって、このスクリーン５上を自重で移動しながら、スリット５ｃを通じて落下するカレット５３と分離されていく。従って、筐体２やスクリーン５を振動させなくても、ペットボトル５１からのカレット５３の除去を行うことができる。よって、この選別装置１は、振動装置を必要とせず、設備の省スペース化に寄与することができる。
【００２１】
なお、上記のようなペットボトル５１の自重による移動が円滑に行われるために、ベルトコンベア３の下流端３ａからスクリーン５までの落差は、３００〜５００ｍｍに設定することが好ましく、スクリーン５の傾斜は、１０〜１５°にすることが好ましい。
【００２２】
なお、本発明は上記実施形態に限定されるものではない。例えば、装置１における櫛型のスクリーン５に代えて、織網型のスクリーンやパンチメタル型のスクリーンを用いてもよい。
【図面の簡単な説明】
【００２３】
【図１】本発明に係る選別装置の一実施形態を示す一部破断斜視図である。
【図２】図１の選別装置の断面図である。
【図３】図１の選別装置のスクリーンの櫛歯の正面図である。
【符号の説明】
【００２４】
１…選別装置、２ａ…ペットボトル排出口、２ｂ…カレット排出口（異物排出口）、３ａ…ベルトコンベアの下流端（導入部）、５…カレットスクリーン、５ｂ…櫛歯、５１…ペットボトル、５３…カレット（異物）。
【図１】
2007319825.tif 000003
【図２】
2007319825.tif 000004
【図３】
2007319825.tif 000005